(57)【要約】      （修正有）【課題】予防接種の記録を活用し、証明書の発行、記録の閲覧、他医療機関連携を円滑に行う予防接種支援システムを提供する。【解決手段】医療機関端末３よりインターネット６を経由して、システムサーバー５に予防接種予約や予防接種記録を蓄積する。被接種者は自身の登録された予約情報を携帯端末２で閲覧する。医療機関スタッフは医療機関端末３を使用して登録された予約情報や接種記録を閲覧する。表示されたデータの一覧は医療機関端末３に紐づいたプリンター４から印刷する。被接種者が携帯端末２から他医療機関情報共有に同意処理を実施した場合に限り、他医療機関での予防接種実施記録を医療機関端末３に表示することができる。【選択図】図１
0003212784.tif 000002
【実用新案登録請求の範囲】
【請求項１】
予防接種の実施記録を格納し、被接種者に応じて実施した接種一覧を電子端末に表示、紙媒体に印刷できるシステム。一覧として表示、印刷できる予防接種の種類はシステム操作者が指定する。
【請求項２】
抗体価測定検査の結果を格納し、被接種者に応じて抗体価測定検査の結果一覧を電子端末に表示、紙媒体に印刷できるシステム。一覧として表示、印刷できる抗体価測定検査の種類はシステム操作者が指定する。
【請求項３】
登録された実施記録に対して、接種証明書を発行できるシステム。
【請求項４】
システムを利用している施設において、同一の被接種者の記録を施設職員が共有して閲覧するシステム。ただし、他施設の記録を閲覧できるようにするには被接種者の同意を必要とする。
【考案の詳細な説明】
【技術分野】
【０００１】  本考案は、予防接種を支援するシステムに関するものである。
【背景技術】
【０００２】  従来の予防接種を支援するシステムにおいては、予防接種の予約を中心に構成されている。【０００３】  しかしながら、被接種者の予防接種実施記録の出力や、証明書を出力が難しいというように、実施した記録を活用するという点が不足していた。
【先行技術文献】
【特許文献】
【０００４】
【特許文献１】特開２０１３−２０３９８
【考案の概要】
【考案が解決しようとする課題】
【０００５】  予防接種の実施データを地域連携や接種証明書の出力に活用できていないという点を、医療機関のシステム導入時の経済的負担、機器の保守負担を軽減しながら解決するものである。
【課題を解決するための手段】
【０００６】  本考案は、予防接種の実施記録を用いて、被接種者の実施記録の一覧を予防接種ごとに出力する機能・予防接種の実施証明書を出力する機能・被接種者の他施設での実施記録を表示する機能によりデータを活用し問題点を解決している。システムはＷｅｂサービスとすることで、経済的負担と保守に係る負担を解決している。
【考案の効果】
【０００７】  被接種者の予防接種実施記録を任意の予防接種ごとに一覧出力できることで、被接種者がこれまで接種した予防接種を把握しやすく、医師の予防接種計画立案に役立つ。同様に、実施した抗体価測定検査の結果を任意の抗体価測定検査ごとに一覧出力できることで、被接種者の状態を把握しやすく、医師の予防接種計画立案に役立つ。予防接種の実施証明書を出力できることで、医療機関での実施証明書発行作業の軽減に役立つ。他施設での実施記録を閲覧できることで、より正確な被接種者の接種歴が把握でき医師の予防接種計画立案に役立つ。
【図面の簡単な説明】
【０００８】
【図１】本考案のシステム構成図である。
【図２】被接種者の予約状況を示す画面の一例である。
【図３】被接種者の予防接種実施一覧を示す画面の一例である。
【図４】被接種者の携帯端末から、他医療機関情報の開示有無を設定する画面の一例である。
【図５】予防接種の自動スケジュールを実施する際に、希望日を設定する画面の一例である。
【考案を実施する為の形態】
【０００９】  以下、本考案に係る予防接種支援システムについて、以下、本考案の実施の形態を図に基づいて説明する。図１は、本考案の実施形態に係る予防接種支援システム１のシステム構成図である。
【実施例】
【００１０】  図１に示す通り、予防接種支援システム１は、被接種者の携帯端末２と医療機関端末３からシステムサーバー５に格納されている予防接種記録５３ａや予防接種予約情報５３ｂを閲覧することができるシステムである。また、予防接種記録５３ａを利用して任意の被接種者の予防接種実施一覧を医療機関端末３に表示することができる。表示された予防接種実施一覧は端末３に紐付けられたプリンター４を介して印刷することができる。また、予防接種実施記録から予防接種証明書を表示することも可能であり、プリンター４を介して印刷することで、予防接種証明書を発行することができる。【００１１】  任意の被接種者の接種スケジュールを図２に示す通り、医療機関端末３を使用してカレンダー形式で閲覧することができる。予防接種予約日や予防接種実施日には予防接種名が表示される。予防接種実施後の他予防接種を実施できない期間もカレンダーに可視化して表示される。カレンダーに表示された予約日は他予防接種の予定に影響を与えない範囲で移動させることが可能であり、予約スケジュールの微調整に役立つ。【００１２】  任意の被接種者の予防接種実施一覧は図３に示すように、医療機関端末３に表示される。予防接種実施一覧の下部にあるワクチン種別のチェックボックスのチェックを外すことで一覧から除外することができる。チェックボックスにチェックを付けることで一覧に表示される。【００１３】  他医療機関との実施記録の連携には、被接種者が携帯端末２を利用して情報共有に同意する必要がある。被接種者が情報共有の同意を設定する画面が図４である。同意するにチェックがなされた医療機関の医療機関端末３の図３には、他医療機関で実施した予防接種の実施記録も表示される。ただし、情報共有は本考案のシステムを利用している医療機関同士に制限される。【００１４】  本考案のシステムにおいて、予防接種の予定を自動的に作成する仕組みがある。自動的に予防接種予約を生成する際に、被接種者の希望日を指定する画面が図５である。事前に医療機関情報として登録した休診日の曜日は希望日に指定することができない。被接種者は、休診日以外の曜日から希望する曜日を指定することができる。
【符号の説明】
【００１５】  １  予防接種支援システム
２  被接種者の携帯端末
３  医療機関端末
４  端末３に紐付けられたプリンター
５  システムサーバー
５１  Ｗｅｂサーバー
５２  アプリケーションサーバー
５３  データベースサーバー
５３ａ  予防接種記録
５３ｂ  予防接種予約情報
５３ｃ  医療機関情報
５３ｄ  被接種者情報
５３ｅ  抗体価測定履歴
６  通信ネットワーク
【図１】
0003212784.tif 000003
【図２】
0003212784.tif 000004
【図３】
0003212784.tif 000005
【図４】
0003212784.tif 000006
【図５】
0003212784.tif 000007
【手続補正書】
【提出日】平成29年7月18日(2017.7.18)
【手続補正１】
【補正対象書類名】実用新案登録請求の範囲
【補正対象項目名】全文
【補正方法】変更
【補正の内容】
【実用新案登録請求の範囲】
【請求項１】
予防接種を行う被接種者が操作する被接種者の携帯端末と、医療機関に設置される医療機関端末と、ネットワークを介して前記被接種者の携帯端末及び前記医療機関端末に接続されるシステムサーバーとを備え、前記医療機関端末から入力される予防接種予約情報及び予防接種記録及び抗体価測定履歴及び被接種者情報を、前記医療機関端末及び前記被接種者の携帯端末で閲覧できる予防接種支援システムであって、
前記システムサーバーは、前記医療機関端末から送信される被接種者についての予防接種予約情報及び予防接種記録及び抗体価測定履歴を格納するデータベースサーバーと、予防接種の予約管理及び予防接種実施記録管理及び抗体価測定記録管理を行うアプリケーションサーバーと、を備えており、
前記アプリケーションサーバーは、前記被接種者の携帯端末からアクセスがあった場合はデータベースサーバーに格納される被接種者の予防接種予約情報及び予防接種記録を閲覧できるように構成され、且つ、前記被接種者の携帯端末からの操作に基づき被接種者の予防接種記録を操作した医療機関に対し、他医療機関における被接種者の予防接種記録の開示可否を決定できるように構成され、且つ、前記医療機関端末からのアクセスに基づいて、前記データベースサーバーに格納される予防接種予約情報及び予防接種記録及び抗体価測定履歴及び被接種者情報を更新可能に構成され、且つ、前記医療機関端末からの操作に基づいて、前記データベースサーバーに格納される予防接種記録から予防接種証明書をデータファイルとして前記医療機関端末に出力できるように構成されている予防接種支援システム。